(57)【要約】【課題】  デジタルカメラなどの撮像装置において、画像の共有化を容易にする。【解決手段】  撮像装置で撮影後，あらかじめ設定された他の撮像装置に画像を自動的に転送する。【選択図】  図１
2009094797.tif 000002
【特許請求の範囲】
【請求項１】
撮像した画像データを記録する記録手段と、撮像した画像を異なる撮像装置へ転送する通信機能と、撮影画像を転送する先を撮像前に設定する手段を有する撮像装置において、撮影した画像を設定した転送先へ撮影と同時に自動的に転送することを特徴とする撮像装置。
【請求項２】
上記画像の転送において、撮影画像の転送先が、画像データの記録手段を有する撮像装置に転送することを特徴とする請求項１に記載の撮像装置。
【請求項３】
上記画像の転送において、画像の転送先が複数の異なる撮像装置に転送可能なことを特徴とする請求項２に記載の撮像装置。
【請求項４】
上記撮像装置で、異なる撮像装置より画像データを受信することの可能なことを特徴とする請求項２に記載の撮像装置。
【請求項５】
上記撮像装置で、異なる複数の撮像装置より画像データを受信することが可能なことを特徴とする請求項３に記載の撮像装置。
【請求項６】
複数の上記撮像装置の内、どれか一つの撮像装置で撮影された画像が、設定した複数の撮像装置すべてに記録されることを特徴とする請求項５に記載の撮像装置。
【請求項７】
複数の上記撮像装置の内、どれか一つの撮像装置で撮影された画像が、設定された時間内において、設定した複数の撮像装置すべてに記録されることを特徴とする請求項６に記載の撮像装置。
【請求項８】
複数の上記撮像装置で、設定した複数の撮像装置に記録される画像すべてが、設定した複数の撮像装置すべてに記録されることを特徴とする請求項５に記載の撮像装置。
【請求項９】
複数の上記撮像装置で、設定した複数の撮像装置に記録される画像すべてが、設定された撮影時間内において、設定した複数の撮像装置すべてに記録されることを特徴とする請求項８に記載の撮像装置。
【請求項１０】
複数の上記撮像装置で、他の撮像装置より転送された画像データの記録の実施又は拒否が選択できる手段を有することを特徴とする請求項８に記載の撮像装置。
【発明の詳細な説明】
【技術分野】
【０００１】
本発明は、撮像した画像データを撮像装置間で転送する、通信機能を有する撮像装置に関する。
【背景技術】
【０００２】
デジタルカメラ等の撮像装置では画像を記録することができるように内蔵メモリや外付けメモリスロットなどが備えられている。デジタルカメラではＣＣＤなどの撮像素子より取り込まれた画像を画像データとして変換され、メモリに記録する。記録した画像データはＰＣへ転送されて編集、記録、印刷などに用いられる。また、デジタルカメラは異なるデジタルカメラや携帯電話、ビデオカメラなどの電子機器と通信ケーブル又は赤外線などで通信可能なデジタルカメラも存在する。これにより、デジタルカメラと異なるデジタルカメラやその他電子機器と、画像データを受信、送信することが可能である。
【０００３】
上記の例として、下記特許文献１をあげることが出来る。
【特許文献１】特開2002-027450号公報
【発明の開示】
【発明が解決しようとする課題】
【０００４】
しかしながら、デジタルカメラで撮像したデータを他の電子機器に転送する際、転送する画像を再生し、再生画像より転送する画像を選択、そして転送先を選択、などと画像撮影後に数々の設定しなくてはならず、その操作が煩雑である。またこの煩雑な作業を避けるために同じシーンを複数のカメラで撮影することにより、複数のカメラに同じ画像を保存しようとするが、複数のカメラで撮影する撮影者にも手間となり、また、同じシチュエーションで撮影した場合にも、カメラや撮影者、撮影時間によって同じ画像が撮影されるとも限らない。
【０００５】
例えば複数ユーザーがそれぞれデジタルカメラをもっていた場合においても、ユーザー本人のカメラには他人ばかりが写っていて、後でデータの交換を行わなくてはならず、煩雑な作業をしなければならない。一方、ユーザー本人をユーザー自身のカメラで撮影してもらう為には、カメラを他の人に受け渡して、撮影してもらわなければならず、手間が掛かるのである。
【０００６】
また複数のカメラで撮影した画像をすべて印刷したい場合にも撮影後にそれぞれの撮像装置を操作して転送する作業が必要となり、煩雑である。
【課題を解決するための手段】
【０００７】
上記目的を達成するため、本発明の撮像装置は撮像した画像データを記録する記録手段と、撮像した画像を異なる撮像装置へ転送する通信機能と撮像画像を撮影前に転送する転送先を設定する手段を有する撮像装置において、撮影した画像を設定した転送先へ転送できる。
【０００８】
上記撮像装置は転送先が画像記録手段を有し、画像の転送先が複数の異なる撮像装置に転送できる。
【０００９】
上記撮像装置は異なる複数の画像装置より画像データを受信できる。
【００１０】
複数の画像装置で、どれかひとつの撮像装置で撮影された画像が撮像前に設定された複数の画像装置すべてに記録される。
【００１１】
複数の画像装置で、どれかひとつの撮像装置で撮影された画像が、設定された時間内でのみ以下複数の撮像装置すべてに記録される。
【００１２】
複数の撮像装置で、設定した複数の撮像装置に記録される画像すべてが、設定した複数の撮像装置すべてに記録される。
【００１３】
複数の撮像装置で、設定した複数の撮像装置に記録される画像すべてが、設定された時間内でのみ、設定した複数の撮像装置すべてに記録される。
【発明の効果】
【００１４】
以上、本発明によれば、デジタルカメラにおいてあらかじめ画像を記録するデジタルカメラと記録時間を撮影前に設定することにより、設定時間内に撮影された画像データを、撮影後自動的に設定されたデジタルカメラへ転送することができる。
【発明を実施するための最良の形態】
【００１５】
次に、本発明の詳細を実施例の記述に従って説明する。
【実施例１】
【００１６】
以下、本発明の実施例を説明する。図１は本実施形態のデジタルスチルカメラの概略斜視図である。カメラにはレンズ、レリーズボタン、カメラ通信用受光部および発光部が設けられている。また撮影や再生の設定を行うことの可能なメニューキーと、撮影した画像の表示や設定状況を表示するために液晶表示部が設けられている。
【００１７】
図２では複数のデジタルスチルカメラにおける通信状態を表す。201〜204のすべてのデジタルスチルカメラでは画像記録可能な記録部と画像の受信および送信可能な送受信部が設けられている。また複数のデジタルカメラが認識できるように、各デジタルカメラには、IDナンバーが割り振られている。201のカメラにおいて撮影する前に撮影画像の共有化設定をすることが可能であり、記録202、203、204のIDを入力し、設定することができる。共有化設定したカメラには撮影後に撮影した画像データを自動的に転送し、記録することができる。図３は撮影時のフローチャートで、このフローチャートに従って撮影時の処理を説明する。カメラを撮影モードに切替えると、撮影待ち状態になり、レリーズボタン103を押すと撮影が開始される(301)。撮影で取り込まれた画像はカメラ内のメモリに記録される(302)。次に他のカメラとの共有化設定があらかじめされている場合には共有化の設定時間であれば、対象のカメラへ撮影画像を転送する。転送先のカメラは受け取った画像をそれぞれのメモリへ記録する。
【００１８】
また、カメラの全画像の共有化設定を行った場合には、共有化されているカメラの画像をすべて共有することができる。図４に全画像の共有化におけるフローチャートで、このフローチャートに従って全画像共有化設定時の処理を説明する。カメラを起動した状態で共有化設定がある場合には、カメラ内部に記録されている全画像を転送(402)をする。また、共有化設定されている他のカメラに記録されている画像を受信し(403)記録する。その後、撮影モードに切替えて撮影する場合の処理は、図３で説明した処理方法と同様である。
【００１９】
図５は共有化設定時のモニタ画面を示す図である。撮影画像を転送する先を設定する際には図５(１)のようにあらかじめ登録しておいたカメラの名前が並べられる。並べられた名前から共有化設定するカメラを選択すると、図５(2)のように選ばれた名前がハイライトされる。次に共有化する時間を設定するため、図５(3)のような画面が表示され、画像を共有する期間が設定できる。共有化された状態での撮影画面では図５(4)のように共有化されたカメラと設定時間がわかるように、表示され、データの誤転送を防ぐ。
【図面の簡単な説明】
【００２０】
【図１】本発明によるデジタルスチルカメラの斜視図である
【図２】本発明によるデジタルスチルカメラの通信状況である
【図３】本発明による撮影時の転送処理のフローチャートである
【図４】本発明による撮影時の転送処理のフローチャートである
【図５】本発明による設定時のモニタ画面である
【符号の説明】
【００２１】
101  レンズ
102  送受信部
103  レリーズスイッチ
201  デジタルスチルカメラ
202  デジタルスチルカメラ
203  デジタルスチルカメラ
204  デジタルスチルカメラ
【図１】
2009094797.tif 000003
【図２】
2009094797.tif 000004
【図３】
2009094797.tif 000005
【図４】
2009094797.tif 000006
【図５】
2009094797.tif 000007